(57)【特許請求の範囲】
【請求項１】
奥壁に通風孔を形成した調理室と、
この調理室の奥壁の後方に配設されたヒータと、
前記調理室の奥壁の後方に配設され、調理室内の空気を前記通風孔を通してヒータに接触させ調理室内に戻す循環を行わしめる熱風ファンと、
前記調理室外の操作パネル側部分の奥部に配設された熱風用モータと、
この熱風用モータと前記熱風ファンとの間に設けられ、熱風用モータの回転動力を熱風ファンに伝える伝動機構とを具備し、
前記伝動機構の熱風用モータ側伝動車に冷却ファンが設けられると共に、この冷却ファンを覆うケーシングが設けられ、この冷却ファン及びケーシングにより、熱風用モータ側から吸気して伝動機構の熱風ファン側伝動車方向へ送風するようにして成ることを特徴とする加熱調理器。
【請求項２】
熱風ファンを取付けた熱風ファン取付部と、熱風用モータを取付けた熱風用モータ取付部との間に、冷却ファン及びケーシングにより送出された風を調理室側に通す通風口が存することを特徴とする請求項１記載の加熱調理器。
【請求項３】
熱風ファン取付部と熱風用モータ取付部とが１枚の取付板に設けられ、その取付板が、熱風ファン取付部より前方に熱風用モータ取付部を有する段付き形状で、その段差部分に通風口が形成されていることを特徴とする請求項２記載の加熱調理器。
【請求項４】
通風口の縁部に、冷却ファン及びケーシングにより送出された風を調理室側に導き入れる導風壁を設けたことを特徴とする請求項２又は３記載の加熱調理器。
【請求項５】
通風口が、熱風ファンを覆ったケーシングを覆うケーシングカバーの背面に臨んでいることを特徴とする請求項２又は３記載の加熱調理器。
【請求項６】
熱風ファン取付部に、伝動機構の熱風用モータ側伝動車と熱風ファン側伝動車との間の中間部材に沿う導風壁を設けたことを特徴とする請求項２又は３記載の加熱調理器。
【請求項７】
熱風ファン取付部及び熱風用モータ取付部が、ともに調理室の背面の上下部に取付けられていることを特徴とする請求項２又は３記載の加熱調理器。
【発明の詳細な説明】
【０００１】
【発明の属する技術分野】
本発明は熱風を循環させて加熱調理する加熱調理器に関する。
【０００２】
【従来の技術】
従来より、この種の加熱調理器においては、図６に示すごとく構成されたものが供されている。このものの場合、外箱１の内部に内箱２が配設されて、この内箱２により調理室３が形成されている。調理室３（内箱２）の奥壁には、多数の通風孔４，５が中心部（通風孔４）と周囲部（通風孔５）とに分けて形成されており、その後方に、ヒータ６と熱風ファン７とが配設されている。ヒータ６と熱風ファン７は、調理室３の背面に取付けたケーシング８に覆われており、更に、そのケーシング８が、同じく調理室３の背面に取付けたケーシングカバー９に覆われている。
【０００３】
又、ケーシングカバー９の背部にはモータ取付板１０が取付けられており、このモータ取付板１０の背面に熱風用モータ１１が取付けられている。熱風用モータ１１の回転軸１１ａは、あらかじめ、モータ取付板１０からケーシングカバー９及びケーシング８の奥壁を通してケーシング８内に挿入されており、その先端部に上述の熱風ファン７が取付けられている。
そして又、熱風用モータ１１の回転軸１１ａには、モータ取付板１０内に位置して、冷却ファン１２が取付けられており、熱風用モータ１１の後方を、外箱１に取付けた背板１３により覆っている。
【０００４】
この構成で、ヒータ６が発熱すると共に、熱風用モータ１１が起動されることにより、熱風ファン７が、矢印で示すように、調理室３内の空気を中心部の通風孔４から吸入してヒータ６に接触させ、そして、周囲部の通風孔５から調理室３内に戻す循環を行わしめる。これにより、調理室３内には熱風が循環供給されるようになり、熱風による加熱調理が調理室３内で行われる。
又、冷却ファン１２がケーシングカバー９後方の空気を動かし、その近辺及び熱風用モータ１１の冷却をする。
【０００５】
【発明が解決しようとする課題】
上記従来のものの場合、調理室３の奥壁の後方にヒータ６と熱風ファン７とが配設され、その後方に冷却ファン１２が配設されて、更にその後方に熱風用モータ１１が配設された構造であり、この結果、全体の奥行が大きくなり、その奥行方向に余裕のない場所には設置できないという、置き場所の制約を生じていた。
【０００６】
しかも、この場合、熱風用モータ１１及びその近辺の部品は、冷却ファン１２で冷却するようにしているものの、ヒータ６が位置したケーシング８内の例えば約４００℃ほどにもなる高熱の影響を受けやすい構造であり、そのために、ヒータ６部分から熱風用モータ１１部分までを極力離間させる必要があって、その距離が奥行方向に確保されることにより、全体の奥行が一層大きくなる事情にあった。
【０００７】
本発明は上述の事情に鑑みてなされたものであり、従ってその目的は、主として、全体の奥行を小さくできる加熱調理器を提供するにある。
【０００８】
【課題を解決するための手段】
上記目的を達成するために、本発明の加熱調理器においては、
奥壁に通風孔を形成した調理室と、
この調理室の奥壁の後方に配設されたヒータと、
前記調理室の奥壁の後方に配設され、調理室内の空気を前記通風孔を通してヒータに接触させ調理室内に戻す循環を行わしめる熱風ファンと、
前記調理室外の操作パネル側部分の奥部に配設された熱風用モータと、
この熱風用モータと前記熱風ファンとの間に設けられ、熱風用モータの回転動力を熱風ファンに伝える伝動機構とを具備し、
前記伝動機構の熱風用モータ側伝動車に冷却ファンが設けられると共に、この冷却ファンを覆うケーシングが設けられ、この冷却ファン及びケーシングにより、熱風用モータ側から吸気して伝動機構の熱風ファン側伝動車方向へ送風するようにして成ることを特徴とする（請求項１の発明）。
【０００９】
このものによれば、熱風用モータが、調理室の奥壁の後方に存在せず、調理室外の操作パネル側部分の奥部に位置することで、調理室の奥壁の後方に配設する部品が減り、その分、全体の奥行を小さくすることが可能となる。
又、この場合、熱風用モータがヒータから周側方に離れ、ヒータの発する高熱の影響を受けにくくなるため、調理室の奥壁の後方に配設する部品には、奥行方向の距離を大きく確保する必要がなくなり、これによって、全体の奥行を一層小さくすることが可能となる。
更に、上述のようにヒータから周側方に離れた熱風用モータの部分は、従来のヒータ後方の部分より低温の部分であり、この位置で、熱風用モータ側から吸気して伝動機構の熱風ファン側伝動車方向へ送風することにより、熱風用モータの冷却が効果的になされると共に、伝動機構の冷却も効果的になされ、併せて、ヒータの発する高熱を受けて熱くなる部分（調理室の奥壁の後方に配設した部品の部分）の冷却も効果的になされるようになる。これにより、調理室の奥壁の後方に配設する部品の奥行方向の距離を一層小さくすることが可能となり、更に、背板を調理室の背面に近付けることが可能となって、全体の奥行を一段と小さくすることが可能となる。
【００１２】
この場合、熱風ファンを取付けた熱風ファン取付部と、熱風用モータを取付けた熱風用モータ取付部との間には、冷却ファン及びケーシングにより送出された風を調理室側に通す通風口が存すると良い（請求項２の発明）。
このものでは、冷却風が通風口により、調理室の奥壁の後方に配設した部品の部分の中でも、ヒータ近辺の部品部分に取り入れられて、それの冷却がより効果的になされるようになる。
【００１３】
又、熱風ファン取付部と熱風用モータ取付部とは１枚の取付板に設けられ、その取付板が、熱風ファン取付部より前方に熱風用モータ取付部を有する段付き形状で、その段差部分に通風口が形成されていても良い（請求項３の発明）。
このものでは、冷却風がヒータ近辺の部品部分に一層効果的に取り入れられて、それの冷却がより効果的になされるようになる。
【００１４】
更に、通風口の縁部には、冷却ファン及びケーシングにより送出された風を調理室側に導き入れる導風壁を設けると良い（請求項４の発明）。
このものでも、冷却風がヒータ近辺の部品部分に一層効果的に取り入れられて、それの冷却がより効果的になされるようになる。
【００１５】
加えて、通風口は、熱風ファンを覆ったケーシングを覆うケーシングカバーの背面に臨んでいると良い（請求項５の発明）。
このものでは、冷却風が、通風口を通った後、ケーシングカバーに沿ってスムーズに流れ、これによっても、ヒータ近辺の部品部分の冷却がより効果的になされるようになる。
【００１６】
熱風ファン取付部には、伝動機構の熱風用モータ側伝動車と熱風ファン側伝動車との間の中間部材に沿う導風壁を設けても良い（請求項６の発明）。
このものでは、冷却風が伝動機構の中間部材に沿って流れ、その中間部材の冷却が効果的になされると共に、ヒータの発する高熱を受けて熱くなる部分にも効率良く導かれ、その冷却が効果的になされるようになる。
【００１７】
熱風ファン取付部及び熱風用モータ取付部は、ともに調理室の背面の上下部に取付けられていると良い（請求項７の発明）。
このものでは、熱風ファン取付部と熱風用モータ取付部とを調理室の背面という共通の部材に取付けることによって、別々の部材に取付けるより、それらを組立誤差少なく取付けることができ、それだけ、熱風用モータから熱風ファンへの回転動力の伝達が安定してできると共に、全体の奥行を小さくすることも、より精度良くできるようになる。
【００２０】
【発明の実施の形態】
以下、本発明を電子レンジ機能を併せ有する加熱調理器に適用した第１実施例につき、図１ないし図４を参照して説明する。
まず、図１には、加熱調理器全体の構成を示しており、外箱２１の内部に内箱２２を配設して、この内箱２２により調理室２３を包囲形成している。
調理室２３（内箱２２）は前面が開口しており（図示せず）、この開口部と合う開口部（これも図示せず）を出入口として有する前面板２４を、外箱２１及び内箱２２の前縁に取付け、この前面板２４には、その出入口としての開口部を開閉する扉２５を枢着すると共に、それの側方（図中右側）に位置して操作パネル２６を装着している。
【００２１】
操作パネル２６は、加熱調理器で加熱調理を行うに必要な操作を使用者が前方より行うためのもので、種々の操作部を有している（図示せず）。又、扉２５は下端部がヒンジとなっているもので、上端部に取手２７を有している。
一方、調理室２３の奥壁には、多数の通風孔２８，２９を例えばパンチングにより形成しており、そのうちの通風孔２８は中心部に位置し、通風孔２９は周囲部に位置している。
【００２２】
調理室２３の奥壁の後方には、ヒータ３０と熱風ファン３１とを配設しており、そのうちのヒータ３０は周囲部に位置し、熱風ファン３１は中心側に位置している。この場合、ヒータ３０には、例えば環状のシーズヒータを使用しており、熱風ファン３１には、遠心ファンを使用している。ヒータ３０と熱風ファン３１は、調理室２３の背面に取付けた第１のケーシング３２により覆っており、更に、その第１のケーシング３２を、同じく調理室２３の背面に取付けたケーシングカバー３３により覆っている。
【００２３】
ケーシングカバー３３の後方には取付板３４を配設しており、この取付板３４は、図２に示すように、第１の取付部３５と第２の取付部３６とを段部３７で横並びに連ねて一体に有する、１枚の金属板から成っている。しかして、その第１の取付部３５には、図１及び図３に示すように、前記熱風ファン３１をこれの軸３８により軸受３９を介して回転可能に取付けており、この場合、軸受３９は、第１の取付部３５に固定板４０を介してねじ４１により取付けている。
【００２４】
又、第２の取付部３６には、熱風用モータ４２をモータ台４３を介して取付けており、この場合、モータ台４３は第１の取付部３５にねじ４４によって取付け、このモータ台４３に熱風用モータ４２をねじ４５により取付けている。
従って、第１の取付部３５は熱風ファン取付部であり、第２の取付部３６は熱風用モータ取付部である。
【００２５】
なお、第１の取付部３５は中心部に軸３８を通す孔４６を有しており、第２の取付部３６は中心部に熱風用モータ４２の回転軸４７を通す孔４８を有している。又、軸３８は、第１のケーシング３２及びケーシングカバー３３の各奥壁中心部を貫通している。
【００２６】
更に、第１の取付部３５及び第２の取付部３６のそれぞれ上下部には、図２に示すようにフランジ４９，５０を形成しており、更に、その各フランジ４９，５０には取付孔５１，５２を形成していて、この取付孔５１，５２により、第１の取付部３５及び第２の取付部３６を、ともに調理室２３の背面の上下部に図４に示すねじ５３によって取付けている。
【００２７】
なお、この場合、第１の取付部３５及び第２の取付部３６の取付けは、前記調理室２３の背面に対する第１のケーシング３２及びケーシングカバー３３の各取付けに供したそれらのフランジ５４及び５５に、フランジ４９，５０を後方から重ねて行っている。
この結果、第２の取付部３６は、第１の取付部３５の側方（前記操作パネル２６側）であって且つそれよりも前方に位置しており、これに伴い、熱風用モータ４２も、調理室２３外の操作パネル２６側部分の奥部に位置している。
【００２８】
熱風用モータ４２と熱風ファン３１との間には伝動機構５６を設けており、この伝動機構５６は、この場合、第２の取付部３６の後方に位置して熱風用モータ４２の回転軸４７に取付けた熱風用モータ側伝動車たる駆動側プーリ５７と、第１の取付部３５の後方に位置して熱風ファン３１の軸３８に取付けた熱風ファン側伝動車たる従動側プーリ５８、並びにこれら両プーリ５７，５８間に張架した中間部材たるベルト５９から成る、ベルト伝動機構であり、熱風用モータ４２の回転動力を、駆動側プーリ５７、ベルト５９、従動側プーリ５８を順に経て熱風ファン３１に伝えるようになっている。
【００２９】
又、駆動側プーリ５７の前側には第１の冷却ファン６０を例えば一体に設けており、この第１の冷却ファン６０にも、遠心ファンを使用している。第２の取付部３６には、この第１の冷却ファン６０を覆う第２のケーシング６１を取付けている。この第２のケーシング６１は図４に示すうず形室状を成しており、駆動側プーリ５７が位置する切欠部６３を有すると共に、従動側プーリ５８方向に指向する吐出口６３を有している。又、この吐出口６３に対し、吸入口は前記熱風用モータ４２の回転軸４７を通した第２の取付部３６の孔４８であり、この関係上、孔４８は図３に示すように回転軸４７よりも充分に径大に形成している。
【００３０】
更に、第１の取付部３５と第２の取付部３６との間には、通風口６４を形成しており、この通風口６４は、この場合、詳細には取付板３４の段差部分である、段部３７から第１の取付部３５及び第２の取付部３６にかけた、段部３７一帯の部分に形成している。この通風口６４は、前記第１のケーシング３２を覆ったケーシングカバー３３の背面に臨んでいる。
【００３１】
加えて、この通風口６４の縁部、特に熱風ファン３１側の縁部には、後方であって且つ第１の冷却ファン６０方向に指向する第１の導風壁６５を、例えば通風口６４の形成と合わせた切起こしにより設けている。又、第２の取付部３６には第２の導風壁６６を設けており、この第２の導風壁６６は、図４に示すように、前記伝動機構５６のベルト５９より上方に位置して該ベルト５９に沿うように、同じく切起こしにより設けており、その突出寸法は、図３に示すように、後端がベルト５９より後方に位置するものとしている。
【００３２】
ここで、熱風用モータ４２は、前記回転軸４７が前後の両方に突出する両軸形であり、その後方の端部に前記伝動機構５６の駆動側プーリ５７を取付け、一方、前方の端部には第２の冷却ファン６７を取付けている。この第２の冷却ファン６７は、前記操作パネル２６の裏側の、外箱２１と内箱２２との間の機械室６８内に位置しており、この機械室６８内には、図１に示すように、マグネトロン６９やトランス７０など、必要な電気部品を配設している。
【００３３】
なお、マグネトロン６９は電子レンジ調理のため調理室２３内に供給するマイクロ波を発振するマイクロ波発振器であり、トランス７０はそれの作動に必要な変圧を行うもので、第２の冷却ファン６７は、機械室６８の冷却をすることにより、それら電気部品の冷却をするようになっている。この場合、第２の冷却ファン６７には、軸流ファンを使用している。
又、前記外箱２１の側部や底部、及び前記伝動機構５６の後方に位置して外箱２１の背面の開口部を閉塞した背板７１には、通気孔７２，７３をそれぞれ多数形成している。
【００３４】
次に、上記構成のものの作用を述べる。
使用者が操作パネル２６を操作することによりオーブン調理が開始されると、ヒータ３０が発熱すると共に、熱風用モータ４２が起動される。この熱風用モータ４２の回転動力は伝動機構５６により熱風ファン３１に伝えられ、該熱風ファン３１が回転駆動される。駆動された熱風ファン３１は、図１及び図３に実線矢印で示すように、調理室２３内の空気を中心部の通風孔２８から吸入してヒータ３０に接触させ、そして、周囲部の通風孔２９から調理室２３内に戻す循環を行わしめる。これにより、調理室２３内には熱風が循環供給されるようになり、熱風による加熱調理（オーブン調理）が調理室２３内で行われる。
【００３５】
又、このとき、伝動機構５６の駆動側プーリ５７と一体に第１の冷却ファン６０が回転駆動され、駆動された第１の冷却ファン６０は、第２のケーシング６１と協働して、図３に破線矢印で示すように、熱風用モータ４２側から取付板３４の第２の取付部３６の孔４８を通じて吸気し、伝動機構５６の従動側プーリ５８方向へ送風する。
【００３６】
この送出された風は、取付板３４の背面に沿って流れ、軸受３９、軸３８、及び従動側プーリ５８部分に達して、更にその先方へと流れると共に、通風口６４から取付板３４の前面側（調理室２３側）に取り入れられてケーシングカバー３３の後側を流れ、同じく軸受３９、軸３８部分に達して、更にその先方へと流れる。このとき、その風を第１の導風壁６５が調理室２３側に効果的に導き入れる。又、第２の導風壁６６は、その風を伝動機構５６のベルト５９に沿って流す。これらにより、熱風用モータ４２が冷却されると共に、伝動機構５６の駆動側プーリ５７、ベルト５９、及び従動側プーリ５８が冷却され、更に、前記ヒータ３０の発する高熱を受けて熱くなる部分である軸受３９や、軸３８、ケーシングカバー３３、及び背板７１が冷却される。
【００３７】
更に、このとき、前記第１の冷却ファン６０と共に第２の冷却ファン６７が熱風用モータ４２によって回転駆動され、駆動された第２の冷却ファン６７は、図３に二点鎖線矢印で示すように、熱風用モータ４２側から吸気して機械室６８内の前方へと送風することにより、熱風用モータ４２及び機械室６８（機械室６８内の電気部品）の冷却をする。
【００３８】
このように本構成のものでは、熱風用モータ４２が、調理室２３の奥壁の後方に存在せず、調理室２３外の操作パネル２６側部分の奥部に位置するものであり、それによって、調理室２３の奥壁の後方に配設する部品を従来のものより減じ、その分、全体の奥行を小さくすることができ、置き場所の制約を少なくすることができる。しかも、この場合、操作パネル２６の裏側は一般的に機械室６８であって、スペースに比較的余裕のある部分であり、そのスペースを有効に利用して、上述の全体の奥行を小さくすることができる。
【００３９】
又、この場合、熱風用モータ４２がヒータ３０から周側方に離れ、ヒータ３０の発する高熱の影響を受けにくくなるため、調理室２３の奥壁の後方に配設する第１のケーシング３２や、ケーシングカバー３３、取付板３４といった部品には、奥行方向の距離を大きく確保する必要がなく、これによって、全体の奥行を一層小さくすることができる。
【００４０】
更に、この場合、調理室２３の奥壁の後方に配設する上述の部品の最後端までの寸法を、従来のそれらと同様の部品の最後端までの寸法と同等に保つならば、それらの部品に奥行方向の距離を大きく確保する必要がない分、調理室２３の奥行を増すことが可能であり、これによって、より多くの、あるいはより大きな被調理物を加熱調理することができるようになる。
【００４１】
又、上述のようにヒータ３０から周側方に離れた熱風用モータ４２の部分は、従来のヒータ後方の部分より低温の部分であり、この位置で、第１の冷却ファン６０及び第２のケーシング６１により、熱風用モータ４２側から吸気して伝動機構５６の従動側プーリ５８方向へ送風することにより、熱風用モータ４２の冷却が効果的にできると共に、伝動機構５６の冷却も効果的にでき、更に、ヒータ３０の発する高熱を受けて熱くなる部分（調理室２３の奥壁の後方に配設した部品の部分）の冷却も効果的にできる。
【００４２】
そして、それにより、調理室２３の奥壁の後方に配設する部品の奥行方向の距離を一層小さくすることが可能となり、更に、背板７１を調理室２３の背面に近付けることが可能となって、全体の奥行を一段と小さくすることができる（一例として、従来のものより４０〔ｍｍ〕以上の短寸化ができる）。又、この場合、ヒータ３０の発する高熱を受けて熱くなる部分の冷却が効果的にできることにより、調理温度を上げても差支えなくなり、これによって、加熱調理の迅速さを増すことができると共に、調理のでき具合を良くすることもできる。
【００４３】
加えて、熱風ファン３１を取付けた第１の取付部３５と、熱風用モータ４２を取付けた第２の取付部３６との間には、通風口６４を設け、これによって、上述の第１の冷却ファン６０及び第２のケーシング６１により送出された風を調理室２３側に通すようにしているので、冷却風が、調理室２３の奥壁の後方に配設した部品の部分の中でも、ヒータ３０近辺の部品部分に取り入れられて、それの冷却をより効果的に行うことができる。
【００４４】
更に、この場合、第１の取付部３５と第２の取付部３６は別々の部材で構成されていても良いが、上記構成のものでは、それらを１枚の取付板３４に設け、この取付板３４を、第１の取付部３５より前方に第２の取付部３６が存する段付き形状として、その段差部分に通風口６４を形成していることにより、上述の冷却風をヒータ３０近辺の部品部分に一層効果的に取り入れることができて、それの冷却がより効果的にできる。又、この場合、取付板３４の段は全体の奥行の短寸化にも効果を奏する。
【００４５】
しかも、通風口６４の縁部には第１の導風壁６５を設けており、これによって、上記第１の冷却ファン６０及び第２のケーシング６１により送出された風を調理室２３側に導き入れることができるので、上述の冷却風をヒータ３０近辺の部品部分に一層効果的に取り入れることができて、それの冷却が一層効果的にできる。
【００４６】
又、通風口６４は、熱風ファン３１を覆った第１のケーシング３２を覆うケーシングカバー３３の背面に臨ませており、これによって、通風口６４を通った冷却風が、ケーシングカバー３３に沿ってスムーズに流れ、これによっても、ヒータ３０近辺の部品部分の冷却をより効果的に行うことができる。
【００４７】
更に、第２の取付部３６には、伝動機構５６のベルト５９に沿う第２の導風壁６６を設けており、これによって、冷却風がベルト５９に沿って流れるから、ベルト５９の冷却を効果的に行うことができると共に、ヒータ３０の発する高熱を受けて熱くなる部分にも冷却風を効率良く導いて、その冷却を効果的に行うことができる。又、この場合、後方や上方からの外力がベルト５９に及ぶ前に第２の導風壁６６に当たってベルト５９に及ぶことを阻止できるので、その外力に対するベルト５９の保護も第２の導風壁６６によってできる。
【００４８】
このほか、第１の取付部３５及び第２の取付部３６は、ともに調理室２３の背面の上下部に取付けており、このように調理室２３の背面という共通の部材に取付けることによって、別々の部材に取付けるより、それらを組立誤差少なく取付けることができ、それだけ、熱風用モータ４２から熱風ファン３１への回転動力の伝達が安定してできると共に、全体の奥行を小さくすることも、より精度良くできる。
【００４９】
又、熱風用モータ４２が両軸形で、その回転軸４７の一方側に伝動機構５６の駆動側プーリ５７を取付け、他方側に操作パネル２６裏側の機械室６８の冷却をする第２の冷却ファン６７を取付けているので、熱風用モータ４２により、機械室６８の冷却まで行うことができ、且つ、熱風用モータ４２自身の冷却にも一層の効果を得ることができる。
【００５０】
以上に対して、図５は本発明の第２実施例を示すもので、上記第１実施例と同一の部分には同一の符号を付して説明を省略し、異なる部分のみを述べる。
この場合、前記第２の冷却ファン６７に代わって、熱風用モータ４２の前方に、第２の冷却ファン８１を配設すると共に、この冷却ファン８１を回転駆動する別のモータ８２を配設している。
【００５１】
この別のモータ８２は、フレーム８３に固定したステータ８４の外周に、ロータ８５を支承して設けたアウターロータ形のＤＣブラシレスモータで、そのロータ８５に冷却ファン８１を一体に設けており、全体として薄形となっている。  このようにしたものでも、冷却ファン８１は、二点鎖線矢印で示すように、熱風用モータ４２側から吸気して機械室６８内の前方へと送風するものであり、これによって、機械室６８の冷却を効果的に行うことができ、且つ熱風用モータ４２の冷却も効果的に行うことができる。
【００５２】
なお、そのほか、伝動機構５６はベルト伝動機構に限られず、例えばチェーン伝動機構やギヤ伝動機構等であっても良い。又、電子レンジ機能は必ずしも具えられていなくても良い。更に、操作パネル２６は、調理室２３の前面部の側方ではなく、下方又は上方に設けられていても良いもので、それに伴い、熱風用モータ４２も調理室２３より下方又は上方に設けられていても良い。
【００５３】
【発明の効果】
本発明は以上説明したとおりのもので、下記の効果を奏する。
請求項１の加熱調理器によれば、熱風用モータが、調理室の奥壁の後方に存在せず、調理室外の操作パネル側部分の奥部に位置することにより、全体の奥行を小さくすることができ、置き場所の制約を少なくすることができる。又、熱風用モータから、伝動機構、及びヒータの発する高熱を受けて熱くなる部分の冷却が効果的にできることにより、調理室の奥壁の後方に配設する部品の奥行方向の距離を一層小さくすることができ、更に、背板を調理室の背面に近付けることもできて、全体の奥行を一段と小さくすることができる。
【００５５】
請求項２の加熱調理器によれば、冷却風を、熱風ファン取付部と熱風用モータ取付部との間の通風口から、調理室の奥壁の後方に配設した部品の部分の中でも、ヒータ近辺の部品部分に取り入れることができて、それの冷却をより効果的に行うことができる。
【００５６】
請求項３の加熱調理器によれば、冷却風を、上記熱風ファン取付部と熱風用モータ取付部とを有する１枚の取付板の段差部分に設けた通風口から、ヒータ近辺の部品部分に一層効果的に取り入れることができて、それの冷却をより効果的に行うことができる。
【００５７】
請求項４の加熱調理器によれば、冷却風を、上記通風口の縁部に設けた導風壁により、ヒータ近辺の部品部分に一層効果的に取り入れることができて、それの冷却を一層効果的に行うことができる。
請求項５の加熱調理器によれば、通風口を通った冷却風を、ケーシングカバーに沿ってスムーズに流し得ることにより、ヒータ近辺の部品部分の冷却をより効果的に行うことができる。
【００５８】
請求項６の加熱調理器によれば、冷却風を、熱風用モータ取付部に設けた導風壁にて、伝動機構の中間部材に沿って流し得ることにより、その中間部材の冷却と、ヒータの発する高熱を受けて熱くなる部分の冷却を効果的に行うことができる。
【００５９】
請求項７の加熱調理器によれば、熱風ファン取付部と熱風用モータ取付部の取付けが組立誤差少なくできて、熱風用モータから熱風ファンへの回転動力の伝達が安定してできると共に、全体の奥行を小さくすることも、精度良くできる。
【図面の簡単な説明】
【図１】本発明の第１実施例を示す全体の横断面図
【図２】取付板単体の斜視図
【図３】主要部分の拡大横断面図
【図４】主要部分の背面図
【図５】本発明の第２実施例を示す図３相当図
【図６】従来例を示す図１部分相当縮小図
【符号の説明】
２３は調理室、２６は操作パネル、２８，２９は通風孔、３０はヒータ、３１は熱風ファン、３２は第１のケーシング（ケーシング）、３３はケーシングカバー、３４は取付板、３５は第１の取付部（熱風ファン取付部）、３６は第２の取付部（熱風用モータ取付部）、３７は段部、４２は熱風用モータ、４７は回転軸、５６は伝動機構、５７は駆動側プーリ（熱風ファン側伝動車）、５８は従動側プーリ（熱風用モータ側伝動車）、５９はベルト（中間部材）、６０は第１の冷却ファン（冷却ファン）、６１は第２のケーシング（ケーシング）、６４は通風口、６５は第１の導風壁（導風壁）、６６は第２の導風壁（導風壁）、６７は第２の冷却ファン（冷却ファン）、６８は機械室、８１は第２の冷却ファン（冷却ファン）、８２はモータを示す。
【図１】
0003715466.tif 000002
【図２】
0003715466.tif 000003
【図３】
0003715466.tif 000004
【図４】
0003715466.tif 000005
【図５】
0003715466.tif 000006
【図６】
0003715466.tif 000007